【手続補正書】
【提出日】平成22年9月10日(2010.9.10)
【手続補正１】
【補正対象書類名】特許請求の範囲
【補正対象項目名】全文
【補正方法】変更
【補正の内容】
【特許請求の範囲】
【請求項１】
吐出システムであって、
（ａ）円錐形上端部を有する沈殿容器と、
（ｂ）気相流動床重合容器を該沈殿容器に流体連通させる吐出管と、
（ｃ）該気相流動床重合容器から該吐出管を経て該沈殿容器に至る流動混合物の吐出流を制御する主吐出弁と、
（ｄ）該沈殿容器と流体連通した運搬容器と、
（ｅ）該沈殿容器と該運搬容器との間にあり、該沈殿容器から該運搬容器への運搬流れを制御する切替弁と、
（ｆ）該運搬容器からの該流動混合物の出口流れを制御する主出口弁と
を備える吐出システム。
【請求項２】
前記運搬容器が円錐形上端部を備える、請求項１に記載の吐出システム。
【請求項３】
前記主吐出弁と直列に副吐出弁を備え、該主吐出弁及び該副吐出弁が前記流動床圧力容器と前記沈殿容器との間に位置し、しかも、該主吐出弁と該副吐出弁の両方が該沈殿容器に向かう吐出流を制御する、請求項１又は２に記載の吐出システム。
【請求項４】
少なくとも２個の副吐出弁及び少なくとも２個の沈殿容器を備え、ここで、それぞれの副吐出弁は１個の沈殿容器への流れを制御し、しかも１個の主吐出弁は、該１個の主吐出弁が該少なくとも２個の副吐出弁と共に該少なくとも２個の沈殿容器のそれぞれへの吐出流を制御するように、該少なくとも２個の副吐出弁及び該少なくとも２個の沈殿容器と流体連通した状態にある、請求項３に記載の吐出システム。
【請求項５】
次のもの：
（ａ）前記流動床圧力容器の上部と前記沈殿容器とを流体連通させる通気管路と、
（ｂ）該通気管路を介した通気流れを制御する主通気弁と
を備える、請求項１〜４のいずれかに記載の吐出システム。
【請求項６】
前記主通気弁に加えて、該主通気弁と直列の副通気弁であって前記通気管路を介した通気流れを制御するものを備える、請求項５に記載の吐出システム。
【請求項７】
少なくとも２個の副通気弁と少なくとも２個の沈殿容器とを備え、ここで、それぞれの副通気弁は、前記流動床圧力容器の上部と１個の沈殿容器との間の通気流れを制御し、しかも、１個の主通気弁は、該１個の主通気弁が該少なくとも２個の副通気弁と共に該流動床圧力容器の該上部と該少なくとも２個の沈殿容器のそれぞれとの間の通気流れを制御するように、該少なくとも２個の副通気弁及び該少なくとも２個の沈殿容器と流体連通した状態にある、請求項６に記載の吐出システム。
【請求項８】
副出口弁を備え、前記主出口弁と該副出口弁の両方が前記運搬容器からの出口流れを制御する、請求項１〜７のいずれかに記載の吐出システム。
【請求項９】
次の手段：
（ａ）吐出システムにおける異常状態を検出する手段と、
（ｂ）該異常状態の検出に基づき前記副出口弁を閉じる手段
を備える、請求項８に記載の吐出システム。
【請求項１０】
前記異常状態を検出する手段が、自動化制御システムと、圧力、流れ、温度、容器の応力、弁の位置又はアクチュエータの位置を検出する手段とを含む、請求項９に記載の吐出システム。
【請求項１１】
前記副出口弁を閉じる手段が自動化制御システムと前記副出口弁を閉じるシグナルとを含む、請求項９又は１０に記載の吐出システム。
【請求項１２】
前記副出口弁が通常開いている、請求項８〜１１のいずれかに記載の吐出システム。
【請求項１３】
前記副出口弁が前記異常状態の検出から約５秒以内又は約２．５秒以内に閉じる、請求項８〜１２のいずれかに記載の吐出システム。
【請求項１４】
沈殿容器が満たされた時点を検出する固形物監視装置を備える、請求項１〜１３のいずれかに記載の吐出システム。
【請求項１５】
前記沈殿容器又は前記運搬容器に供給される乾性ガスパージを含む、請求項１〜１４のいずれかに記載の吐出システム。
【請求項１６】
前記吐出管に供給されるクリーンガスパージを含む、請求項１〜１５のいずれかに記載の吐出システム。
【請求項１７】
次の工程：
（ａ）複数の沈殿容器及び複数の運搬容器を備える吐出システムを準備し、ここで、該複数の沈殿容器の少なくとも１個は円錐形上端部を備え；
（ｂ）該複数の沈殿容器のうち第１沈殿容器に流動床圧力容器からの混合物を充填し、ここで、該混合物は、固形物と加圧ガスとを含み；
（ｃ）該第１沈殿容器を均等化させ、この際、加圧ガスの第１部分を該第１沈殿容器から該複数の沈殿容器のうち該第１沈殿容器以外の少なくとも１個に移し；
（ｄ）該固形物と加圧ガスの第２部分とを該第１沈殿容器から第１運搬容器に移し；
（ｅ）該第１沈殿容器を再度均等化させ、この際、戻り加圧ガスを該複数の沈殿容器のうち該第１沈殿容器ではない少なくとも１個から該第１沈殿容器に移し；
（ｆ）該第１運搬容器を第２運搬容器で均等化させ、この際、該加圧ガスの第３部分を該第１運搬容器から該複数の運搬容器のうち該第１運搬容器ではない少なくとも１個に移し；
（ｇ）該第１運搬容器を空にし；そして
（ｈ）該第１運搬容器を再度均等化させ、この際、戻り運搬ガスを該複数の運搬容器のうち該第１運搬容器ではない少なくも１個から該第１運搬容器に移すこと
を含む、流動床圧力容器から固形物を取り出す方法。
【請求項１８】
複数の運搬容器の少なくとも１個が円錐形上端部を備える、請求項１７に記載の方法。
【請求項１９】
前記準備した吐出システムが主出口弁と副出口弁とを備え、ここで、該副出口弁は、異常状態が検出されたときに自動的に閉じる、請求項１７又は１８に記載の方法。
【請求項２０】
吐出管又は通気管路をクリーンガスパージする工程を含む、請求項１７〜１９のいずれかに記載の方法。
【請求項２１】
前記複数の沈殿容器の少なくとも１個又は前記複数の運搬容器の少なくとも１個を乾性ガスパージする工程を含む、請求項１７〜２０のいずれかに記載の方法。
【請求項２２】
吐出される固体粒子の容量が前記沈殿容器の実量の少なくとも１００％である、請求項１７〜２１のいずれかに記載の方法。
【請求項２３】
吐出される固体粒子の容量が前記第１沈殿容器の弁内容量の約９０％を超える又は９５％を超える、請求項１７〜２２のいずれかに記載の方法。
【請求項２４】
吐出システムであって、
（ａ）平行に配置された少なくとも３個の沈殿容器と、
（ｂ）該少なくとも３個の沈殿容器の少なくとも１個に流動床圧力容器を流体連通させる吐出管と、
（ｃ）該流動床圧力容器から該吐出管を経て該少なくとも３個の沈殿容器の少なくとも１個に至る流動混合物の吐出流を制御する主吐出弁と、
（ｄ）該流動床圧力容器の上部と該少なくとも３個の沈殿容器の少なくとも１個とを流体連通させる通気管路と、
（ｅ）該通気管路を介した通気流れを制御する主通気弁と、
（ｆ）該少なくとも３個の沈殿容器を流体連通させる少なくとも３個の横つなぎ管と、
（ｇ）該少なくとも３個の横つなぎ管を通した横つなぎ流れを制御する、マルチポート弁である横つなぎ弁と、
（ｈ）該少なくとも３個の沈殿容器と流体連通した少なくとも３個の運搬容器と、
（ｉ）該少なくとも３個の沈殿容器と該少なくとも３個の運搬容器との間にあり、該少なくとも３個の沈殿容器から該少なくとも３個の運搬容器への複数の運搬流れを制御する少なくとも３個の切替弁と、
（ｊ）該少なくとも３個の容器の少なくとも２個を流体連通させる下部横つなぎ管と、
（ｋ）該下部横つなぎ管を介した下部横つなぎ流れを制御する下部横つなぎ弁と、
（ｌ）該少なくとも３個の運搬容器からの該流動混合物の複数の出口流れを制御する少なくとも３個の主出口弁と
を備える吐出システム。
【請求項２５】
前記横つなぎ弁又は前記下部横つなぎ弁が流れ制御型の弁である、請求項２４に記載の吐出システム。
【請求項２６】
前記横つなぎ弁又は前記下部横つなぎ弁が前記横つなぎ弁の軸の回転度に応じて変化し得る流れ領域を有する、請求項２４又は２５に記載の吐出システム。
【請求項２７】
前記横つなぎ弁又は前記下部横つなぎ弁がＶボール弁である請求項２４〜２６のいずれかに記載の吐出システム。
【請求項２８】
前記横つなぎ管又は前記下部横つなぎ管には、前記横つなぎ弁以外の流れ制限装置が存在しない、請求項２４〜２７のいずれかに記載の吐出システム。
【請求項２９】
次の工程：
（ａ）吐出管と、沈殿容器と、吐出弁と、運搬容器と、切替弁と、主出口弁と、副出口弁とを備える吐出システムを準備し；
（ｂ）該沈殿容器に流動床圧力容器からの混合物を充填し、ここで、該混合物は、固形物と加圧ガスとを含み；
（ｃ）該固形物と加圧ガスの一部分とを該沈殿容器から該運搬容器に移し；
（ｄ）該運搬容器の内容物を受入容器に出して該運搬容器を空にし；
（ｅ）該吐出システムを異常状態に関して自動化制御システムで監視し；そして
（ｆ）異常状態が検出されたときに該副出口弁を自動的に閉じること
を含む、流動床圧力容器から固形物を取り出す方法。
【請求項３０】
単列の吐出容器の前記充填工程と前記空にする工程とを少なくとも一部同時に行う、請求項２９に記載の方法。
【請求項３１】
前記流動床圧力容器と前記受入容器との間に、工程（ａ）〜（ｄ）のうちのいくらかの実施中に閉じる１個だけの弁が存在する、請求項２９又は３０に記載の方法。
【請求項３２】
前記異常状態を検出し、そして前記副出口弁を該異常状態の出現の１０秒以内又は約５秒以内に閉じる、請求項２９〜３１のいずれかに記載の方法。
【請求項３３】
前記異常状態が高圧、激しい流れ又は前記吐出システム内の不正確な弁の位置である、請求項２９〜３２のいずれかに記載の方法。